(57)【要約】【課題】カバーの開口から露出されたディスプレイユニットの露出領域に保護フィルムが貼り付けやすく、且つ保護フィルムが貼り付けられていない露出領域の傷が目立たないパネル装置を提供する。【解決手段】当該装置は、開口４２を有するカバー７０と、開口４２を通じて外部へ露出される面である突出端面５１を有する透光部材７８を具備しており、画像を表示するディスプレイユニット７１と、を備えている。突出端面５１は、開口４２の周縁に位置する第１領域９１と、当該第１領域９１に囲まれた第２領域９２と、を有している。第２領域９２は、保護フィルム７２が貼り付け可能な平滑な面である。第１領域９１は、第２領域９２より粗い面である。【選択図】図８
2015184294.tif 000002
【特許請求の範囲】
【請求項１】
開口を有するカバーと、
上記開口を通じて外部へ露出される面である露出領域を有する透光部材を具備しており、画像を表示するディスプレイユニットと、を備えており、
上記露出領域は、上記開口の周縁に位置する第１領域と、当該第１領域に囲まれた第２領域と、を有しており、
上記第２領域は、保護フィルムが貼り付け可能な平滑な面であり、
上記第１領域は、上記第２領域より粗い面であるパネル装置。
【請求項２】
少なくとも上記第２領域を覆う上記保護フィルムを更に有する請求項１に記載のパネル装置。
【請求項３】
上記保護フィルムの外形は、上記露出領域より小さく、且つ上記第２領域より大きい請求項２に記載のパネル装置。
【請求項４】
上記第１領域は、シボ加工された面である請求項１から３のいずれかに記載のパネル装置。
【請求項５】
上記第１領域及び上記第２領域は、同一面である請求項１から４のいずれかに記載のパネル装置。
【請求項６】
上記透光部材は、上記カバーの開口に挿入される凸部を有しており、
上記露出領域は、上記凸部の突出端面である請求項５に記載のパネル装置。
【請求項７】
上記ディスプレイユニットは、液晶ディプレイを有しており、
上記透光部材は、上記液晶ディスプレイと係合されたものである請求項１から６のいずれかに記載のパネル装置。
【請求項８】
上記透光部材は、上記露出領域よりも外側の表面であって、上記カバーの開口周縁に位置する周縁領域を有しており、当該周縁領域がシボ加工されたものである請求項１から７のいずれかに記載のパネル装置。
【発明の詳細な説明】
【技術分野】
【０００１】
本発明は、カバーの開口を通じて視認されるディスプレイユニットを具備するパネル装置に関する。
【背景技術】
【０００２】
従来、プリンタ、スキャナ、コピー機、電話機、ファクシミリ機等において、液晶ディスプレイなどのディスプレイユニットを有するパネル装置が設けられたものがある。パネル装置の表面は、製造時や輸送時などにおいて、ゴミが付着したり傷つけられたりすることを防止するために保護フィルムが貼られている。保護フィルムは、ユーザが購買後に装置を使用するときに剥がされる（特許文献１〜３）。
【先行技術文献】
【特許文献】
【０００３】
【特許文献１】特開平１０−３０７６６８号公報
【特許文献２】特開平７−３１３９４９号公報
【特許文献３】特開２０１２−６４０６８号公報
【発明の概要】
【発明が解決しようとする課題】
【０００４】
ディスプレイユニットをカバーの開口を通じて外部から視認可能に構成されたパネル装置では、開口より内側においてディスプレイユニットの表面に保護フィルムが貼り付けられる必要がある。しかし、保護フィルムの外形寸法と開口の外形寸法との差が小さければ、開口の周縁のカバーに接触しないように保護フィルムをディスプレイユニットの表面に貼り付ける作業が困難となる。他方、保護フィルムの外形寸法と開口の外形寸法との差が大きければ、開口付近においてディスプレイユニットの表面に保護フィルムが貼り付けられていない部分も大きくなり、保護フィルムが貼り付けられていない部分にゴミが付着したり傷がついたりするおそれがある。
【０００５】
本発明は、前述した事情に鑑みてなされたものであり、その目的は、カバーの開口から露出されたディスプレイユニットの露出領域に保護フィルムが貼り付けやすく、且つ保護フィルムが貼り付けられていない露出領域の傷が目立たない手段を提供することにある。
【課題を解決するための手段】
【０００６】
(1)  本発明に係るパネル装置は、開口を有するカバーと、上記開口を通じて外部へ露出される面である露出領域を有する透光部材を具備しており、画像を表示するディスプレイユニットと、を備えたものである。上記露出領域は、上記開口の周縁に位置する第１領域と、当該第１領域に囲まれた第２領域と、を有する。上記第２領域は、保護フィルムが貼り付け可能な平滑な面である。上記第１領域は、上記第２領域より粗い面である。
【０００７】
第２領域に保護フィルムが貼り付けられることによって、第２領域が保護される。第１領域においては保護フィルムが剥がし易い。また、仮に、第１領域に傷が付いても目立ち難い。
【０００８】
(2)  上記パネル装置は、少なくとも上記第２領域を覆う上記保護フィルムを更に有するものであってもよい。
【０００９】
(3)  上記保護フィルムの外形は、上記露出領域より小さく、且つ上記第２領域より大きくてもよい。
【００１０】
これにより、カバーの開口周縁にはみ出すことなく、第２領域を保護フィルムで覆うことが容易である。
【００１１】
(4)  上記第１領域として、シボ加工された面が挙げられる。
【００１２】
(5)  上記第１領域及び上記第２領域は、同一面であってもよい。
【００１３】
これにより、第２領域が外観上目立ち難い。
【００１４】
(6)  上記透光部材は、上記カバーの開口に挿入される凸部を有しており、上記露出領域は、上記凸部の突出端面であってもよい。
【００１５】
これにより、透光部材の凸部の突出端面と開口周縁のカバーの表面との段差を小さくできる。
【００１６】
(7)  上記ディスプレイユニットは、液晶ディプレイを有しており、上記透光部材は、上記液晶ディスプレイと係合されたものであってもよい。
【００１７】
これにより、部品点数を少なくできる。
【００１８】
(8)  上記透光部材は、上記露出領域よりも外側の表面であって、上記カバーの開口周縁に位置する周縁領域を有しており、当該周縁領域がシボ加工されたものであってもよい。
【００１９】
これにより、透光部材の周縁領域を通じてパネル装置の内部が見え難くなる。
【発明の効果】
【００２０】
本発明によれば、カバーの開口から露出されたディスプレイユニットの露出領域に保護フィルムが貼り付けやすく、且つ保護フィルムが貼り付けられていない露出領域の傷が目立ち難い。
【図面の簡単な説明】
【００２１】
【図１】図１は、複合機１０の外観斜視図である。
【図２】図２は、プリンタ部１２の内部構造を模式的に示す縦断面図である。
【図３】図３（Ａ）は、パネル装置６０の平面図であり、図３（Ｂ）は、パネル装置６０の正面図であり、図３（Ｃ）は、パネル装置６０の背面図であり、図３（Ｄ）は、パネル装置６０の左側面図であり、図３（Ｅ）は、パネル装置６０の右側面図である。
【図４】図４は、パネル装置６０の底面図である。
【図５】図５は、透光部材７８の六面図であり、（Ａ）には平面図が示されており、（Ｂ）には正面図が示されており、（Ｃ）には背面図が示されており、（Ｄ）には左側面図が示されており、（Ｅ）には右側面図が示されており、（Ｆ）には底面図が示されている。
【図６】図６は、図３（Ａ）のＡ−Ａ断面図である。
【図７】図７は、図６の破線部分の拡大図である。
【図８】図８は、図３（Ａ）の破線部分の拡大図であり、（Ａ）には保護フィルム７２が貼り付けられていない状態が示されており、（Ｂ）には保護フィルム７２が貼り付けられた状態が示されている。
【図９】図９は、凸部４９が変形例の形状である場合における図３（Ａ）のＡ−Ａ断面図である。
【図１０】図１０は、凸部４９が変形例の形状である場合における図３（Ａ）のＡ−Ａ断面図である。
【発明を実施するための形態】
【００２２】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。また、以下の各部材の説明では、当該各部材が複合機１０に組み付けられた状態で、上下方向７と前後方向８と左右方向９とが定義されるものとする。
【００２３】
［複合機１０の全体構成］
図１に示されるように、複合機１０は、概ね直方体に形成されている。複合機１０は、その上部に、記録用紙などの原稿に記録された画像をイメージセンサによって読み取って画像データを取得するスキャナ部１１を備えている。また、複合機１０は、その下部に、上記画像データなどに基づいて、記録用紙１５（図２参照）に画像を記録するプリンタ部１２を備えている。
【００２４】
スキャナ部１１は所謂フラットベッドスキャナとして構成されているが、ここでは、スキャナ部１１の内部構成の詳細な説明は省略される。
【００２５】
プリンタ部１２は、概ね直方体に形成されており、正面に開口１３が形成されたプリンタ筐体１４を有している。
【００２６】
図２に示されるように、プリンタ部１２におけるプリンタ筐体１４の内部には、給紙トレイ２０、給紙ローラ１９、搬送ローラ対６３及び排出ローラ対６６、及び記録部２４などが配置されている。給紙トレイ２０は、開口１３から前後方向８に挿入及び脱抜可能であって内部に記録用紙１５が収容される。給紙ローラ１９は、給紙トレイ２０に収容された記録用紙１５を搬送路２３へ給送する。搬送ローラ対６３及び排出ローラ対６６は、搬送路２３へ給送された記録用紙１５を搬送路２３に沿って搬送させる。記録部２４は、スキャナ部１１によって原稿から読み取られた画像データなどに基づいて、搬送路２３を搬送される記録用紙１５に画像を記録する。
【００２７】
画像が記録された記録用紙１５は、給紙トレイ２０の上方に設けられた排紙トレイ２１に排出され、排紙トレイ２１に支持される。ここで、排紙トレイ２１は、給紙トレイ２０の上方に給紙トレイ２０と重ねられて設けられており、給紙トレイ２０と一体に開口１３を通じてプリンタ筐体１４に挿入及び脱抜される。
【００２８】
［搬送路２３］
図２に示されるように、搬送路２３は、給紙トレイ２０の後端部を基点として、下方から上方に延びつつＵターンしてから、前向きに延びて排紙トレイ２１に至る通路である。搬送路２３は、所定間隔を隔てて互いに対向する第１ガイド部材３１及び第２ガイド部材３２によって構成される空間である。記録用紙１５は、搬送路２３を、図２に破線の矢印で示される向きである搬送向き１６に搬送される。
【００２９】
［搬送ローラ対６３及び排出ローラ対６６］
図２に示されるように、搬送路２３における記録部２４よりも搬送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも搬送向き１６の下流側には、排出ローラ６４及び拍車ローラ６５よりなる排出ローラ対６６が設けられている。拍車ローラ６５は、ばねなどの弾性部材（不図示）によって排出ローラ６４のローラ面に圧接されている。
【００３０】
搬送ローラ６１及び排出ローラ６４は、搬送用モータ（不図示）から駆動力が伝達されることによって回転する。駆動力が伝達された搬送ローラ６１及び排出ローラ６４は、ピンチローラ６２及び拍車ローラ６５との間に記録用紙１５を挟持しつつ搬送向き１６へ搬送する。
【００３１】
［記録部２４］
図２に示されるように、記録部２４は、搬送路２３の上方に配置されている。記録部２４は、搬送路２３に対向する位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左右方向９に往復移動可能に構成されている。キャリッジ３８が左右方向９へ往復移動しながら、搬送路２３に沿って搬送される記録用紙１５に向かってノズル３６からインク滴が吐出される。これにより、記録用紙１５に画像が記録される。
【００３２】
なお、本実施形態において、記録部２４が記録用紙１５に画像を記録する方式は、インクジェット記録方式であるが、インクジェット記録方式に限らず、例えば電子写真方式などであってもよい。
【００３３】
［パネル装置６０の全体構成］
図１に示されるように、複合機１０には、パネル装置６０と、パネル装置６０を所定の回転角度に保持する保持機構（不図示）とが搭載されている。パネル装置６０は、プリンタ筐体１４に回動可能に支持されている。保持機構には、公知のチルト機構などが採用されている。保持機構はパネル装置６０とプリンタ筐体１４との間に設けられているが、保持機構は本発明と直接的に関係がないため、ここでは保持機構の構造の詳細な説明は省略される。
【００３４】
図３、図６、及び図８に示されるように、パネル装置６０は、以下に詳述するカバー７０と、ディスプレイユニット７１と、保護フィルム７２とを備えている。
【００３５】
［カバー７０］
図示されていないが、カバー７０の上端部近傍は、プリンタ筐体１４の前面４１（図１参照）を含む部材によって回動可能に支持されている。例えば、カバー７０の上端部近傍の左右方向９の両端には、外側に延びた突起が形成されおり、プリンタ筐体１４における上記突起と対向する位置には、孔（不図示）が形成されている。上記突起が上記孔に挿通されることにより、カバー７０は、左右方向９に沿った回動軸線周りに回動可能である。
【００３６】
なお、カバー７０の突起は、カバー７０の上端部近傍以外に設けられていてもよく、例えば、カバー７０の下端部近傍に設けられていてもよい。また、カバー７０の回動軸線は、左右方向９以外に沿って延びていてもよく、例えば、上下方向７に沿って延びていてもよい。
【００３７】
図３及び図４に示されるように、カバー７０は、一方が開放された概ね直方体の箱形状である。カバー７０は、表面板７３と、表面板７３の後端部から立設された後側板７４と、表面板７３の前端部から後側板７４と対向するように立設された前側板７５と、表面板７３の右端部から後側板７４及び前側板７５と同じ側に立設された右側板７６と、表面板７３の左端部から右側板７６と対向するように立設された左側板７７とを備えている。
【００３８】
カバー７０の箱内部、つまりカバー７０において表面板７３及び各側板７４、７５、７６、７７によって構成される空間には、ディスプレイユニット７１及び操作ユニット（不図示）などが配置されている。
【００３９】
図６に示されるように、ディスプレイユニット７１は、画像を表示する液晶ディスプレイ２８を備えており、この液晶ディスプレイ２８に画像を表示するものである。ディスプレイユニット７１については、後に詳細に説明される。操作ユニットは、基板と、当該基板上に所定配列で実装された複数のキーとを備えており、これらのキーが押圧されることにより複合機１０の動作を指示する信号を出力するものである。
【００４０】
ディスプレイユニット７１及び操作ユニットは、両面テープによって表面板７３の裏面４４（図４参照）に貼り付けられている。また、図４に示されるように、ディスプレイユニット７１は、裏面４４から突出し且つその突出先端が屈曲した突起６８と係合されている。なお、ディスプレイユニット７１及び操作ユニットは、両面テープ以外によって、例えばビスによって裏面４４に取り付けられていてもよい。ここで、裏面４４は、カバー７０がプリンタ筐体１４に回動可能に支持された状態において外部に露出する表面板７３の表面４６（図１及び図３（Ａ）参照）の反対側の面である。
【００４１】
図３（Ａ）に示されるように、表面板７３には、複数の開口４２、４３が形成されている。開口４２は、表面板７３の左側に設けられている。図６に示されるように、ディスプレイユニット７１は、開口４２と対向する位置に配置される。これにより、ディスプレイユニット７１を構成する部材の一つである後述する透光部材７８の突出端面５１が、開口４２を通じて外部へ露出した状態となる（図１及び図３（Ａ）参照）。
【００４２】
開口４３は、表面板７３の右側に設けられている。操作ユニットは、基板に実装された複数のキーの各々が各開口４３と対向する位置に配置される。これにより、各キーが、開口４３を通じて外部へ露出した状態となる。
【００４３】
［ディスプレイユニット７１］
図６及び図７に示されるように、ディスプレイユニット７１は、上述した液晶ディスプレイ２８と、液晶ディスプレイ２８を支持する透光部材７８とを備えている。
【００４４】
液晶ディスプレイ２８は、液晶、電極、偏光フィルタ、及びバックライトなどが積層されたディスプレイ本体２９と、ディスプレイ本体２９と貼り合わされた基板３０とを備えている。ディスプレイ本体２９には、画像が表示される。基板３０には、コネクタ４７及びケーブル４８を介してディスプレイ本体２９と接続され且つディスプレイ本体２９における画像の表示を制御する制御回路が実装されている。
【００４５】
透光部材７８は、アクリル樹脂で構成された透明の部材である。透光部材７８は、透明であるために、光を透過する。透光部材７８は、一体成形されている。なお、透光部材７８は、アクリル樹脂以外の樹脂、例えばポリカーボネート、ポリエチレンテレフタラート（ＰＥＴ）、ポリエチレン、ＡＢＳ、ポリスチレンなどで構成されていてもよい。
【００４６】
図５に示されるように、透光部材７８は、一方が開放された概ね直方体の箱形状である。透光部材７８は、表面板５５と、表面板５５の後端部から立設された後側板５６と、表面板５５の前端部から後側板５６と対向するように立設された前側板５７と、表面板５５の右端部から後側板５６及び前側板５７と同じ側に立設された右側板５８と、表面板５５の左端部から右側板５８と対向するように立設された左側板５９とを備えている。
【００４７】
図５（Ｆ）に示されるように、左側板５９に、凸部６７が形成されている。凸部６７は、右側板５８に向けて突出している。凸部６７と表面板５５との間には、隙間が設けられている。図７に示されるように、この隙間に、液晶ディスプレイ２８の左端部（詳細には、ディスプレイ本体２９に貼り付けられた基板３０の左端部）が挿入され、液晶ディスプレイ２８は凸部６７に支持されている。これにより、透光部材７８は、液晶ディスプレイ２８と係合されている。
【００４８】
図５及び図７に示されるように、透光部材７８は、表面板５５の表面５０における周縁側の面５３を除いた領域から突出した凸部４９を備えている。凸部４９は、突出端面５１と、突出端面５１の外側に形成されており当該突出端面５１の外縁及び上述した面５３を繋ぐ突出側面５２（本発明の周縁領域の一例）とで構成されている。つまり、表面板５５の表面５０は、突出端面５１、突出側面５２、及び面５３で構成されている。
【００４９】
凸部４９は、開口４２と同形状（長方形）であり、凸部４９の外形は、開口４２より若干小さい。また、開口４２は、凸部４９と対向する位置に形成されている。これにより、透光部材７８がカバー７０に組み付けられた状態において、凸部４９は、開口４２に挿入される。また、これにより、突出側面５２が、カバー７０の開口４２周縁に位置する。なお、凸部４９が開口４２に挿入された状態において、透光部材７８の面５３が、両面テープによってカバー７０の表面板７３の裏面４４（図４及び図７参照）に貼り付けられている。
【００５０】
また、図７に示されるように、突出側面５２は、カバー７０の表面板７３に形成された開口４２の外形を構成する側面５４と略平行である。また、突出側面５２の突出方向の長さは、カバー７０の表面板７３の厚み方向における長さと略同一である。これにより、突出端面５１と表面板７３の表面４６とが略同一平面上となる。また、これにより、凸部４９が開口４２に挿入された状態において、突出端面５１は外部に露出されているが、突出側面５２は外部に露出されていない状態となる。つまり、凸部４９の突出端面５１が本発明における露出領域となる。
【００５１】
なお、突出側面５２と側面５４とは、平行でなくてもよい。また、突出側面５２の突出方向の長さは、表面板５５の厚み方向における長さと異なっていてもよい。
【００５２】
上述した液晶ディスプレイ２８は、突出端面５１と平行となるように且つ突出端面５１と対向するように配置される。これにより、液晶ディスプレイ２８に表示された画像は、外部から透明な部材である突出端面５１を介して視認可能となる。
【００５３】
［突出端面５１及び突出側面５２］
図８（Ａ）に示されるように、突出端面５１は、カバー７０の表面板７３の開口４２の周縁に位置する第１領域９１（図８（Ａ）においてハッチングで示された領域）と、第１領域９１に囲まれた第２領域９２とを有している。第１領域９１及び第２領域９２は、いずれも突出端面５１に設けられている。つまり、第１領域９１及び第２領域９２は、同一面である。
【００５４】
本実施形態において、第１領域９１の幅Ｗは、略０．５ｍｍであり、第２領域９２の長辺Ｌ及び短辺Ｓはそれぞれ４８ｍｍ及び４０ｍｍであるが、第１領域９１の幅及び第２領域９２の長辺及び短辺の長さは、上述した値に限らない。
【００５５】
第１領域９１及び突出側面５２には、細かな凹凸が存在しており、第２領域９２よりも粗い面である。本実施形態では、第２領域９２及び突出側面５２がシボ加工されることによって、第２領域９２及び突出側面５２に細かな凹凸を発生させている。なお、第２領域９２及び突出側面５２に細かな凹凸を発生させる方法はシボ加工に限らず、公知の方法が採用され得る。公知の方法としては、例えばショットブラスト加工が挙げられる。
【００５６】
第２領域９２は、表面に殆ど凹凸がない平滑な面である。第２領域９２が平滑であるため、後述する保護フィルム７２が第２領域９２に貼り付け可能であり、しかも貼り付けられた保護フィルム７２は剥がれにくい。
【００５７】
また、第２領域９２は平滑な面であり、第１領域９１は第２領域９２よりも粗い面であるため、液晶ディスプレイ２８における第２領域９２と対向する領域に表示された画像は、第１領域９１と対向する領域に表示された画像よりも、外部から突出端面５１を介して視認し易い。
【００５８】
［保護フィルム７２］
保護フィルム７２は、外部に露出した突出端面５１を汚れや損傷から保護するために突出端面５１の少なくとも第２領域９２を覆うように貼り付けられるシートであり、公知のものが採用され得る。保護フィルム７２は、透明であってもよいし、透明以外（例えば青色など）であってもよい。
【００５９】
保護フィルム７２の外形は、突出端面５１より小さく、且つ第２領域９２より大きい。つまり、図８（Ｂ）に示されるように、保護フィルム７２は、当該保護フィルム７２の外側の縁が第１領域９１上に位置するように、突出端面５１に貼り付けられる。
【００６０】
［実施形態の効果］
本実施形態によれば、第２領域９２に保護フィルム７２が貼り付けられることによって、第２領域９２が保護される。第１領域９１においては保護フィルム７２が剥がし易い。また、仮に、第１領域９１に傷が付いても目立ち難い。
【００６１】
また、本実施形態によれば、保護フィルム７２の外形が突出端面５１より小さい。そのため、保護フィルム７２が貼り付けられている透光部材７８を、保護フィルム７２を剥がすことなく、カバー７０に組み付けることができる。
【００６２】
また、本実施形態によれば、保護フィルム７２の外形が突出端面５１全体より小さく且つ第２領域９２より大きいため、カバー７０の開口４２周縁にはみ出すことなく、第２領域９２を保護フィルム７２で覆うことが容易である。つまり、カバー７０の開口４２から露出されたディスプレイユニット７１の突出端面５１に保護フィルム７２が貼り付けやすい。
【００６３】
また、本実施形態によれば、第１領域９１及び第２領域９２が同一面であるため、第２領域９２が外観上目立ち難い。
【００６４】
また、本実施形態によれば、透光部材７８の凸部４９の突出端面５１が開口４２を通じて外部へ露出される面であるため、凸部４９の突出端面５１と開口４２周縁のカバー７０の表面４６との段差を小さくできる。
【００６５】
また、本実施形態によれば、透光部材７８が液晶ディスプレイ２８と係合されているため、部品点数を少なくできる。
【００６６】
また、本実施形態によれば、透光部材７８の突出側面５２がシボ加工されたものであるため、突出側面５２を通じてパネル装置６０の内部が見え難くなる。
【００６７】
［変形例］
上述の実施形態では、第１領域９１及び第２領域９２は、同一面であったが、同一面でなくてもよい。例えば、図９に示されるように、凸部４９において、第２領域９２が第１領域９１よりも長く突出していてもよい。
【００６８】
上述の実施形態では、透光部材７８は凸部４９を有していたが、図１０に示されるように、凸部４９を有していなくてもよい。この場合、カバー７０の開口４２を介して外部から視認可能な領域９３が、本発明の露出領域となる。そして、領域９３のうち開口４２の側面５４の近傍領域が、第２領域となり、当該第２領域以外の領域が、第１領域となる。
【００６９】
上述の実施形態では、保護フィルム７２の外形は、突出端面５１より小さく、且つ第２領域９２より大きかった。しかし、保護フィルム７２の外形は、突出端面５１より大きくてもよいし、第２領域９２より小さくてもよい。
【符号の説明】
【００７０】
１０・・・複合機
４２・・・開口
６０・・・パネル装置
７０・・・カバー
７１・・・ディスプレイユニット
７２・・・保護フィルム
７８・・・透光部材
９１・・・第１領域
９２・・・第２領域
【図１】
2015184294.tif 000003
【図２】
2015184294.tif 000004
【図３】
2015184294.tif 000005
【図４】
2015184294.tif 000006
【図５】
2015184294.tif 000007
【図６】
2015184294.tif 000008
【図７】
2015184294.tif 000009
【図８】
2015184294.tif 000010
【図９】
2015184294.tif 000011
【図１０】
2015184294.tif 000012